(57)【要約】【課題】信号欠落が改善された超解像のＲＯＭ媒体等の光記録媒体および光再生装置を提供する。【解決手段】波長λと開口数ＮＡの光学系によって再生される光記録媒体であって、基板１０と、基板１０の一方の面に形成された、λ／（４×ＮＡ）より短いピットおよびスペースを含むデータ領域２２と、基板１０のピットが形成されている面に設けられ、半導体または金属からなる超解像層１１と、超解像層１１を保護する第２保護層１３とを有し、上記超解像層１１と第２保護層１３との間に空間層１６を有する。【選択図】  図１
2004234719.tif 000002
【特許請求の範囲】
【請求項１】
波長λと開口数ＮＡの光学系によって再生される光記録媒体であって、
基板と、
基板の少なくとも一方の面に形成された、λ／（４×ＮＡ）より短いピットおよびスペースを含む情報記録領域と、
基板のピットが形成されている面に設けられ、半導体または金属からなる超解像層と、
超解像層を保護する保護層とを有し、
上記超解像層と保護層との間に空間層を有することを特徴とする光記録媒体。
【請求項２】
上記ピットは基板に形成された凹部からなり、該凹部における超解像層と保護層との間に空間層を有することを特徴とする請求項１に記載の光記録媒体。
【請求項３】
上記保護層は、上記空間層と連通している穴を備えていることを特徴とする請求項１または２に記載の光記録媒体。
【請求項４】
前記超解像層は、シリコン、ゲルマニウム、タングステン、モリブデンから選択される少なくとも１種の材料を含むことを特徴とする請求項１、２または３に記載の光記録媒体。
【請求項５】
請求項１ないし４のいずれかに記載の光記録媒体を備え、該光記録媒体に光ビームを集光するための波長λと開口数ＮＡの光学系と、前記光記録媒体からの透過光あるいは反射光から光記録媒体のピットの信号を読み出す再生手段とを備えることを特徴とする光再生装置。
【発明の詳細な説明】
【０００１】
【発明の属する技術分野】
本発明は、光学系の回折限界を超えて高密度の記録再生を行うことができる、光記録媒体および光再生装置に関する。
【０００２】
【従来の技術】
光の回折限界を超えて高密度の記録再生を行う光記録媒体や装置の開発が近年、盛んに行われている。再生専用のディスクいわゆるＲＯＭディスクの超解像技術が、最近、非特許文献１（ＪＪＡＰ，Ｖｏｌ．４０，Ｎｏ．３Ｂ，ｐｐ１６２４）に発表された。この非特許文献では、波長λおよび開口数ＮＡの光学系を使用し、λ／（２×ＮＡ）よりも短いピッチよって凹凸形状により記録されたピットおよびスペースを有する基板と、前記基板のピット形成側に成膜された半導体あるいは金属からなる超解像層を備えたＲＯＭディスクにおいて、回折限界を超えた記録再生が可能なことが開示されている。この技術は、回折限界を超えた超解像技術を備え、実用的な高密度記録が可能なＲＯＭディスクを提供できることが実証されている。
【０００３】
【非特許文献１】
Ｔａｋａｓｈｉ  Ｋｉｋｕｋａｗａ，  Ｔａｔｓｕｙａ  Ｋａｔｏ，  Ｈｉｒｏｓｈｉ  Ｓｈｉｎｇａｉ，  ａｎｄ  Ｈａｊｉｍｅ  Ｕｔｓｕｎｏｍｉｙａ，Ｈｉｇｈ−Ｄｅｎｓｉｔｙ  Ｒｅａｄ−Ｏｎｌｙ  Ｍｅｍｏｒｙ  Ｄｉｓｃ  ｗｉｔｈ  Ｓｕｐｅｒ  Ｒｅｓｏｌｕｔｉｏｎ  Ｒｅｆｌｅｃｔｉｖｅ  Ｌａｙｅｒ，“Ｊａｐａｎｅｓｅ  Ｊｏｕｒｎａｌ  ｏｆ  Ａｐｐｌｉｅｄ  Ｐｈｙｓｉｃｓ”，Ｔｈｅ  Ｊａｐａｎ  Ｓｏｃｉｅｔｙ  ｏｆ  Ａｐｐｌｉｅｄ  Ｐｈｙｓｉｃｓ，平成１３年３月３０日，Ｖｏｌ．４０，２００１年，Ｎｏ．３Ｂ，ｐ．１６２４
【０００４】
【発明が解決しようとする課題】
しかしながら、上記従来技術を開示した非特許文献１では、回折限界を超えた密度に対応する最短ピットと最短スペースを備えたパターンが、回折限界よりも低い密度に対応した長いスペースと長いピットに挟まれた場合、最短ピットに対応する読み出し信号が一部欠落するという問題点があることが開示されている。つまり、記録されたピットを読み出した場合に、読み出し信号が一部欠落し、読み出しエラーとなった。なお、この問題点に対する解決策は、上記非特許文献１はもとより、未だに提案されていない。
【０００５】
本発明は上記の問題点に鑑みなされたものであり、その目的は、信号欠落を改善することができる超解像のＲＯＭ媒体等の光記録媒体および光再生装置を提供することにある。
【０００６】
【課題を解決するための手段】
本発明の光記録媒体は、上記課題を解決するために、波長λと開口数ＮＡの光学系によって再生される光記録媒体であって、基板と、基板の少なくとも一方の面に形成された、λ／（４×ＮＡ）より短いピットおよびスペースを含む情報記録領域と、基板のピットが形成されている面に設けられ、半導体または金属からなる超解像層と、超解像層を保護する保護層とを有し、上記超解像層と保護層との間に空間層を有することを特徴としている。
【０００７】
上記の構成によれば、超解像層における基板側の面とは反対側の面が空間層となり、ピットを読み出したときの信号の欠落が発生しない。つまり、エラーのない信号再生を行うことができる回折限界を超えた高密度記録の光記録媒体を提供することができる。
【０００８】
本発明の光記録媒体は、上記の構成に加えて、上記ピットは基板に形成された凹部からなり、該凹部における超解像層と保護層との間に空間層を有することが好ましい。
【０００９】
また、本発明の光記録媒体は、上記の構成に加えて、上記保護層は、上記空間層と連通している穴を備えていることが好ましい。
【００１０】
上記の構成によれば、上記穴により空間層が外部と連通しているので、保護層と超解像層との間の気体の気圧と、大気圧とがほぼ平衡に保たれる。したがって、保護層が超解像層に押し付けられて接することを防ぐことができる。
【００１１】
また、本発明の光記録媒体は、上記の構成に加えて、前記超解像層は、シリコン、ゲルマニウム、タングステン、モリブデンから選択される少なくとも１種の材料を含むことが好ましい。これによれば、ピットを読み出した信号の信号対雑音比の高い光記録媒体を提供できる。
【００１２】
また、本発明の光再生装置は、上記課題を解決するために、上記の光記録媒体を備え、該光記録媒体に光ビームを集光するための波長λと開口数ＮＡの光学系と、前記光記録媒体からの透過光あるいは反射光から光記録媒体のピットの信号を読み出す再生手段とを備えることを特徴としている。
【００１３】
これによれば、回折限界を超えた高密度記録の光記録媒体と、この光記録媒体を再生する光再生装置とによって構成される光再生装置において、ピットを読み出したときの信号欠落が生じず、信号対雑音比の高い高密度記録の光再生装置を提供することができる。
【００１４】
【発明の実施の形態】
本発明の光記録媒体および光再生装置を説明する前に、上記従来例について、最近、本発明者らがさらに追試を行い、新たに判明した結果について述べる。
【００１５】
図６は、上記追試に使用した従来の光ディスク（光記録媒体）のディスク構造を示す図である。
【００１６】
図６のＣ−Ｃ’線における断面図に示すように、従来の光ディスク５４は、ポリカーボネートからなる基板５０上に、ゲルマニウムからなる超解像層５１、ＺｎＳ−ＳｉＯ２からなる第１保護層５２、およびＵＶ硬化樹脂からなる第２保護層５３が順に成膜されている構成である。基板５０、超解像層５１、第１保護層５２、および第２保護層５３のそれぞれの厚みは、順に０．６ｍｍ、１５ｎｍ、１０ｎｍ、および１０μｍである。また、上記光ディスク５４（基板５０）における、データ領域には、データに対応するピットおよびスペースが形成されている。そして、光を上記光ディスク５４の基板５０側から照射して、その反射光より上記ピットを読み出して、上記光ディスク５４を再生することができる。ピット（凹部）の深さは６０ｎｍである。なお、上記光ディスク５４におけるピットは、超解像層５１および第１保護層５２が形成されており、ピットが第２保護層５３により埋められている構成である。
【００１７】
また、図５は、上記光ディスク５４のデータ領域に形成されたピットおよびスペースと、その読み出し波形とを示す図である。図５に示すように、従来例では、光ディスク５４のデータ領域において、回折限界を超えた密度に対応する最短ピットＭ１０と最短スペースＳ１０とを備える複数のパターン（ここでは３つのパターン）が、回折限界よりも低い密度に対応した長いピットＭ１１と長いスペースＳ１１とに挟まれるように形成されている。ここで、最短ピットＭ１０の長さが０．２５μｍであり、最短スペースＳ１０の長さも同じ０．２５μｍである。また、長いピットＭ１１および長いスペースＳ１１は、両方とも１．０μｍである。上記光ディスク５４に形成されたピットを読み出すため（測定）に使用した光学系は、レーザ光の波長（λ）は６３５ｎｍ、対物レンズの開口数（ＮＡ）は０．６である。
【００１８】
上記光学系を使用したときの読み出しピットの解像限界をλ／４ＮＡ（回折限界λ／２ＮＡの半分）と定義すると、解像限界は０．２６５μｍとなり、最短ピットＭ１０は解像限界よりも短く、通常では再生できないサイズであることは、容易に類推できる。つまり、ゲルマニウムの超解像層を使用することにより超解像効果が生じ、最短ピットＭ１０の波形が読み出されている。しかし、従来技術に開示されているのと同様に、３つの最短ピットＭ１０に対して、読み出し信号波形では、２つの最短ピットＭ１０の信号しか得られておらず、ピット信号の一部（大きなスペースあるいはピットに隣接した最短ピットあるいは最短スペース）の欠落が生じていることがわかる。なお、説明の便宜上、大きなスペースあるいはピットに隣接した最短ピットあるいは最短スペースを例に挙げたが、これに限らず、解像限界よりも長いスペースあるいはピットに隣接した、解像限界よりも短いピットあるいはスペースであれば欠落が生じる。
【００１９】
以上のように、従来の光記録媒体に対する本発明者らの追試においても従来技術と同様にピット信号の一部の欠落が生じるという結果が得られた。
【００２０】
これに対して本発明者らは、光記録媒体の構造を改良することによって、ピット信号の欠落を防止することができることを見出した。具体的には、第１保護層５２と第２保護層５３との間に空間層を設けることにより、ピット信号の欠落が生じないことが、本発明者らの実験で判明した。また、誘電体からなる保護層５２をさらに省略しても、同様にピット信号の欠落が生じなかった。すなわち、本発明にかかる光ディスクは、超解像層を挟んで光の照射側の反対側に空間層を有することにより、再生時に、ピット信号の欠落が発生せず、再生エラーの発生をなくすことができる。つまり、記録容量を大きくするとともに、再生エラーのない光記録媒体が実現可能となる。
【００２１】
以下には、上記の改良が施された、本発明にかかる光記録媒体および光再生装置について、図１を参照して説明する。
【００２２】
図１に示すように、本発明の光ディスク（光記録媒体）１は、Ａ−Ａ’線で切断した断面からみると、基板１０上に、金属あるいは半導体からなる超解像層１１、誘電体からなる第１保護層１２、空間層１６および第２保護層（保護板）１３が順に設けられている構成である。また、図１の斜視図に示すように、上記光ディスク１は、最外周部１７、最内周部１８、および最外周部１７と最内周部１８とに挟まれたデータ領域（情報記録領域）２２を備えている。上記データ領域２２では、基板１０に形成されたピットにより情報が記録されている。
【００２３】
第２保護層１３には、最外周部１７と最内周部１８とにおけるデータ領域側に突起１５が設けられている。この突起１５を設けることによって、第２保護層１３と第１保護層１２との間に空間層１６を得ることができる。第２保護層１３は、例えば、ＵＶ硬化樹脂からなる接着剤１４により、第１保護層１２に接着されている。上記のように、突起１５が最外周部１７と最内周部１８とにおけるデータ領域側に設けられているので、この突起１５により、接着剤１４のデータ領域への侵入を防ぐことができるとともに、空間層１６を確保することができる。つまり、突起１５と接着剤１４とは、光ディスク１のデータ領域外に設けられ、この部分ではピットを読み出すときの超解像効果を用いる必要はない。
【００２４】
次いで、図２に、図１に示す光ディスク１のデータ領域の一部分２０を拡大して示す。この図２を参照して、上記光ディスク１についてより詳細に説明する。
【００２５】
図２に示すように、基板１０には凹部からなるピット２１（，２１，２１…）が形成されている。そして、上記ピット２１間がスペースとなっている。このピット２１およびスペースは、上記データ領域において所定の方向に並んで形成されている。つまり、ピット２１およびスペースは、光ディスク１のトラックに並んで形成されており、ピット列を形成している。基板１０のピット２１およびスペースが形成されている面には超解像層１１と第１保護層１２とが成膜されている。上記第１保護層１２により、超解像層１１の酸化を防止することができる。また、上記第１保護層１２により、超解像層１１の膜の蒸発を防止することができる。つまり、上記第１保護層１２は、複数の役目を備えた劣化防止層ということができる。さらに、第１保護層１２上には、上述の通り空間層１６を挟んで第２保護層（保護板）１３が設けられている。
【００２６】
上記ピット２１についてより詳細に説明する。ピット２１となる凹部には、超解像層１１と第１保護層１２とが形成（積層）されており、それ以外の部分は空間部２３となっている。言い換えれば、上記ピット２１は、基板１０に形成された凹部において基板１０側から超解像層１１と第１保護層１２と空間部２３とを順に備えている構成である。また、上記空間部２３は、空間層１６の一部であるということもできる。
【００２７】
図３は、本発明の光再生装置を説明する図である。本発明の光再生装置は、レーザドライバ７、再生回路（再生手段）８、および光ピックアップ（光学系）９を備えている。
【００２８】
上記光再生装置では、再生時に、レーザドライバ７から、駆動電流が光学ピックアップ９内の半導体レーザ（光源）６に送られる。上記半導体レーザ６からは、上記駆動電流に応じてレーザビームＢが出射される。この出射された直線偏光のレーザビームＢは、偏光ビームスプリッタ５を通過して、１／４波長板３にて円偏光に変換される。さらに、このレーザビームＢは、対物レンズ２により、上述の本発明の光ディスク１に集光される。このレーザビームＢは、基板１０側から照射される。そして、上記光ディスク１からの反射光は再び対物レンズ２を通って、１／４波長板３にて偏光面が９０度回転した直線偏光に変換され、偏光ビームスプリッタ５によって直角に曲げられ、フォトディテクタ４に入射される。フォトディテクタ４に入射された光は、フォトディテクタ４にて電気信号に変換され、再生回路８にて増幅され再生される。なお、上記構成では、光ディスク１の反射光から信号を再生しているが、これに限らず透過光によって再生する構成としても構わない。
【００２９】
以下では、より具体的な実施例を挙げて、本発明にかかる光ディスク１について説明する。
【００３０】
本実施例では、基板１０をポリカーボネート、超解像層１１をゲルマニウム、第１保護層１２をＺｎＳ−ＳｉＯ２、第２保護層１３をポリカーボネートから製造した。上記基板１０、超解像層１１、第１保護層１２、および第２保護層１３のそれぞれの厚みは、順に０．６ｍｍ、１５ｎｍ、１０ｎｍ、および０．５ｍｍである。突起１５の高さは０．１ｍｍであり、空間層１６の層厚に等しい。なお、上記構造によれば、光ディスク１の全体の厚みは１．２ｍｍとなる。
【００３１】
また、ピット２１の深さを７０ｎｍ、ピットのうち最短のピットにおける長さ（トラックの方向に沿った長さ）を０．２５μｍ、トラックのピッチを０．７４μｍとした。
【００３２】
さらに、光ディスク１の読み出しに使用した光再生装置における光ピックアップ（光学系）９では、レーザビームＢの波長（λ）を６３５ｎｍ、対物レンズ２の開口数（ＮＡ）を０．６とした。読み出し可能なピットの解像限界をλ／４ＮＡとすると、解像限界は０．２６５μｍとなり、最短ピットは解像限界よりも短く、通常では再生できないサイズである。
【００３３】
次いで、光ディスク１のデータ領域に形成されたピットおよびスペースと、光ディスク１に超解像再生パワーである１．６ｍＷを照射しながら、読み出したときの信号波形とを図４を用いて説明する。なお、図４に示すように、本実施例では、光ディスク１のデータ領域において、回折限界を超えた密度に対応する最短ピットＭ１と最短スペースＳ１とを備える複数のパターン（ここでは３つのパターン）が、回折限界よりも低い密度に対応した長いピットＭ２と長いスペースＳ２とに挟まれるように形成されている。
【００３４】
図４に示すように、３つの最短ピットＭ１に対して、読み出し信号波形において３つのピットに対応した信号が得られている。すなわち、本発明の光ディスク１においてピット信号が欠落するという問題が解消できたことがわかる。これは、本発明の光ディスク１では、第１保護層１２と第２保護層１３との間に空間層１６（空間部２３）を設けているためである。この空間層１６（空間部２３）を設けているため、ピット信号の欠落を防止することができる。したがって、読み出しエラーのない光記録媒体と光再生装置を提供することができる。また、ピットを読み出した信号がオシロスコープ上で識別できるほど信号対雑音比が高いことも判る。
【００３５】
また、上記のように本実施の形態の構成では、長い（大きな）スペースあるいは長い（大きな）ピットに隣接した最短ピットあるいは最短スペースの欠落が防止されている。つまり、最短ピットあるいは最短スペースには特に限定されることなく、長い（大きな）スペースあるいは長い（大きな）ピットに挟まれる最短ピットあるいは最短スペースの数は、２つ、または４つ以上においても、同様に長い（大きな）スペースあるいは長い（大きな）ピットに隣接した最短ピットあるいは最短スペースの欠落を防止することができる。なお、説明の便宜上、大きなスペースあるいはピットに隣接した最短ピットあるいは最短スペースを例に挙げたが、これに限らず、解像限界よりも長いスペースあるいはピットに隣接した、解像限界よりも短いピットあるいはスペースであれば欠落を防止することができる。
【００３６】
なお、上記超解像層１１の材料はゲルマニウムに限らず、シリコン、タングステン、モリブデンのいずれかを含む材料でも同様な効果が得られる。また、ピットを読み出したときの信号対雑音比も高かった。上記超解像層１１の膜厚は５〜１００ｎｍであることが好ましい。なお、超解像層１１は連続膜になればよく、特に膜厚の下限値は限定されるものではない。また、超解像層１１の膜厚の上限値は、超解像効果が現れる程度の膜厚であればよい。
【００３７】
また、上記第１保護層１２の材料はＺｎＳ−ＳｉＯ２に限らず、窒化珪素（Ｓｉ３Ｎ４）や二酸化珪素（ＳｉＯ２）等の、耐熱性や機械的強度に優れた材料を用いることも出来る。また、第１保護層１２は超解像層１１の酸化を防止するために設けられているが、本発明者らの実験によると、第１保護層１２の厚みが５０ｎｍ以上になると、ピットを読み出した信号の欠落が生じたため、これ以上に厚くすることは好ましくない。また、上記第１保護層１２は、５ｎｍより薄いと超解像層１１の酸化を防止することが困難になる。したがって、第１保護層１２の膜厚は５〜４０ｎｍであることが好ましい。そこで、上記第１保護層１２は、超解像層１１の酸化を防止できる程度に厚くし、さらに超解像層１１の機械的損傷を保護するための第２保護層１３を、空間層１６を挟んで使用することが好ましい。
【００３８】
また、上記に限らず、空間層１６を、たとえば窒素気体層に置き換え、かつ穴１９を塞ぐことにより、第１保護層１２を省略し、超解像層１１の酸化を防止しても構わない。空間層１６の厚みは１００ｎｍ以上であることが望ましい。空間層１６の厚みはゼロでも構わない。しかしながら、光ディスク１の全面に渡って空間層１６の厚みをゼロとするのは難しく、逆にある程度の空間層を持ったほうが光ディスク１の全面に渡っての厚みは制御しやすくなる。これにより、均一な厚みを持った空間層１６を提供することができる。また、空間層１６の厚みは、第２保護層１３の機械特性（撓み）を考慮すると、さらに厚くする方が好ましく、１μｍ以上が適切である。この空間層１６の厚みは、突起部１５を、光ディスク１の最外周部１７と最内周部１８とだけでなく、その間（データ領域）に適宜設けることによって、機械特性を上げることができる。そのため、突起部の数が増えるほど空間層の厚みは薄くすることができる。さらには、突起部を適切に配置することにより空間層１６を真空状態にすることも可能である。このように、空間層１６を真空状態にする場合には、基板１０や第２保護層１３を大気圧に耐える強度のものを使用すればよい。これによって第１保護層１２を省略することも可能である。
【００３９】
また、空間層１６が空気層である場合には、該空間層１６と連通する穴１９を第２保護層１３に設けることが望ましい。この穴１９により、大気圧と空間層１６の気圧とを平衡に保つことができ、第２保護層１３が超解像層１１の方に押し付けられて接することを防止できる。したがって光ディスク１の破損を防止することができる。
【００４０】
また、上記では、第２保護層１３を、突起部１５を介して第１保護層１２に接着しているが、これに限らず成膜方法の変更により、直接基板１０（第１保護層１２）に接着しても構わない。つまり、上記第２保護層１３の突起１５を省略し、第２保護層１３を超解像層１１に接するように配置してもよい。また、たとえば第２保護層１３を粘着シート等により第１保護層に貼りつけることにより、ピット２１の凹部のみを空間としてもよい。このときも、ピット２１の凹部には、空間部２３が保たれたままなっている。
【００４１】
また、２枚の光ディスク１において、第２保護層１３側同士を接着剤等により接着することにより、両面に情報が記録された１枚の光ディスクとしてもよい。
【００４２】
【発明の効果】
上記のように、本発明の光記録媒体は、波長λと開口数ＮＡの光学系によって再生される光記録媒体であって、基板と、基板の少なくとも一方の面に形成された、λ／（４×ＮＡ）より短いピットおよびスペースを含む情報記録領域と、基板のピットが形成されている面に設けられ、半導体または金属からなる超解像層と、超解像層を保護する保護層とを有し、上記超解像層と保護層との間に空間層を有する構成である。
【００４３】
上記の構成によれば、超解像層における基板側の面とは反対側の面が空間層となり、ピットを読み出したときの信号の欠落が発生しない。つまり、エラーのない信号再生を行うことができる回折限界を超えた高密度記録の光記録媒体を提供することができるという効果を奏する。
【００４４】
本発明の光記録媒体は、上記の構成に加えて、上記ピットは基板に形成された凹部からなり、該凹部における超解像層と保護層との間に空間層を有することが好ましい。
【００４５】
また、本発明の光記録媒体は、上記の構成に加えて、上記保護層は、上記空間層と連通している穴を備えていることが好ましい。
【００４６】
上記の構成によれば、上記穴により空間層が外部と連通しているので、保護層と超解像層との間の気体の気圧と、大気圧とがほぼ平衡に保たれる。したがって、保護層が超解像層に押し付けられて接することを防ぐことができるという効果を奏する。
【００４７】
また、本発明の光記録媒体は、上記の構成に加えて、前記超解像層は、シリコン、ゲルマニウム、タングステン、モリブデンから選択される少なくとも１種の材料を含むことが好ましい。これによれば、ピットを読み出した信号の信号対雑音比の高い光記録媒体を提供できるという効果を奏する。
【００４８】
また、本発明の光再生装置は、上記課題を解決するために、上記の光記録媒体を備え、該光記録媒体に光ビームを集光するための波長λと開口数ＮＡの光学系と、前記光記録媒体からの透過光あるいは反射光から光記録媒体のピットの信号を読み出す再生手段とを備える構成である。
【００４９】
これによれば、回折限界を超えた高密度記録の光記録媒体と、この光記録媒体を再生する光再生装置とによって構成される光再生装置において、ピットを読み出したときの信号欠落が生じず、信号対雑音比の高い高密度記録の光再生装置を提供することができるという効果を奏する。
【００５０】
言い換えれば、回折限界を超えた高密度記録の光記録媒体と、この光記録媒体を再生する光再生装置によって構成される光情報システムにおいて、ピットを読み出したときの信号欠落が生じず、エラーのない信号対雑音比の高い高密度記録の光情報システムを提供することができる。
【図面の簡単な説明】
【図１】本発明にかかる光ディスクの斜視図および断面図である。
【図２】図１の光ディスクにおけるデータ領域の斜視図である。
【図３】本発明にかかる光再生装置のブロック図である。
【図４】本発明の光記録媒体と光再生装置からなる光情報システムにおいて、ピットを読み出した信号の波形図である。
【図５】従来の光記録媒体のピットを読み出した信号の波形図である。
【図６】従来の光記録媒体の斜視図および断面図である。
【符号の説明】
１    光ディスク（光記録媒体）
１０  基板
１１  超解像層
１２  第１保護層
１３  第２保護層（保護板）
１４  接着剤
１５  突起部
１６  空間層
２１  ピット
２３  空間部
【図１】
2004234719.tif 000003
【図２】
2004234719.tif 000004
【図３】
2004234719.tif 000005
【図４】
2004234719.tif 000006
【図５】
2004234719.tif 000007
【図６】
2004234719.tif 000008